(57)【特許請求の範囲】
【請求項１】
差し込まれたタイムカードに横長のバー状に記録されているＩＤマークを読取ってＩＤを識別し、このＩＤに該当するメモリに対して現在時刻等の出退勤情報を記録すると共に、この出退勤情報を上記タイムカードの印字欄に印字するように構成したタイムレコーダーシステムであって、
差し込まれたタイムカードの表面と裏面の各一側縁に、少なくとも二分割して付されている上記のＩＤマークを読み取るための表裏二つの読取り手段と、これ等表裏二つの読取り手段によって読み取られた上記二つに分割されたＩＤマークを組合せて、これを一つのＩＤとして判読するＩＤマーク判読手段とを備えて成ることを特徴とするタイムレコーダーシステム。
【請求項２】
差し込まれたタイムカードに横長のバー状に記録されているＩＤマークを読取ってＩＤを識別し、このＩＤに該当するメモリに対して現在時刻等の出退勤情報を記録すると共に、この出退勤情報を上記タイムカードの印字欄に印字するように構成したタイムレコーダーシステムであって、
差し込まれたタイムカードの一側面で、且つ、その左右両側縁に、少くとも二分割して並列に付されている上記のＩＤマークを読取るための左右二つの読取り手段と、これ等左右二つの読取り手段によって二つに分割された状態で読み取られたＩＤマークを組合せて、これを一つのＩＤとして判読するＩＤマーク判読手段とを備えて成ることを特徴とするタイムレコーダーシステム。
【請求項３】
前記表裏又は左右の二つの読取り手段のうち、一方の読取り手段によってタイムカードの一側に付されているカード表裏判定マークと、前記分割された一方のＩＤマークと、印字段制御マークの各読取りを行い、他方の読取り手段によってタイムカードの他側に付されている前記分割された他方のＩＤマークの読取りを行うように構成すると共に、これ等各読取り手段によるマークの読取りを同時に行うように構成したことを特徴とする請求項１又は２記載のタイムレコーダーシステム。
【請求項４】
差し込まれたタイムカードを往移動している行程中に、前記読取り手段による前記表裏又は左右に分割されたＩＤマーク等の読取りと、タイムカードの印字欄に対する出退勤情報の印字を行うように構成したことを特徴とする請求項１、２又は３記載のタイムレコーダーシステム。
【請求項５】
カードを識別するＩＤマークと、出退勤情報の印字欄とを備えたタイムカードであって、
上記のＩＤマークを少くとも二分割して、これ等分割したＩＤマークをタイムカードの表裏両面の一側縁にそれぞれ付すか、又はタイムカードの一側面の左右両側縁に並列に付すと共に、これ等表裏両面の一側縁又は一側面の左右両側縁に分割されて付されるＩＤマークは、数値又は記号の上位桁と下位桁とによって構成されていて、これ等上位桁と下位桁を組合せることによって一連のＩＤとして認識できるように構成したことを特徴とするタイムカード。
【請求項６】
タイムカードの表裏両面の一側縁又は一側面の左右両側縁に分割されて付される前記ＩＤマークを、二進数によって構成したことを特徴とする請求項５記載のタイムカード。
【請求項７】
タイムカードの下端に近い側縁にカード表裏判定マークを付し、その上側部のカード側縁に前記分割したＩＤマークの一方を二進数で付し、更にその上側部のカード側縁には、社員ナンバー記載欄や印字段の１６段目や１５段目に対応する印字位置確認用の印字段マークを付したことを特徴とする請求項５又は６記載のタイムカード。
【請求項８】
タイムカードの表裏両面の一側縁又は一側面の左右両側縁に
分割して二進数で付される前記ＩＤマークを、夫々の上下間隔を無くした状態で印刷したことを特徴とする請求項５、６又は７記載のタイムカード。
【請求項９】
タイムカードの表裏両面の一側縁又は一側面の左右両側縁に分割して付される前記ＩＤマークを、カードの差込み方向に沿った状態で、カードの側縁に対して横長のバー状に印刷又は記入して構成したことを特徴とする請求項５、６、７又は８記載のタイムカード。
【発明の詳細な説明】
【０００１】
【発明の属する技術分野】
本発明は、差し込まれたタイムカードからＩＤを読取って、このＩＤに該当するメモリに出退勤情報を記憶し、且つ、この出退勤情報をタイムカードに印字出力するように構成したタイムレコーダーシステムと、このタイムレコーダーシステムに使用して好適なタイムカードに関するものである。
【０００２】
【従来の技術】
タイムカードから読取ったＩＤに基づいて、出退勤情報の記憶と印字出力を行うタイムレコーダーシステムに関しては、従来より、例えば実願平１−１０７０５７号（実開平３−５０２７７号）に記載された「タイムレコーダに於ける識別コード読取装置」が存在するが、このタイムレコーダーシステムは、添付した図１６に見られるように、タイムカードＴＣの側縁に差込み方向に沿って基準マーク５０Ａ，５０Ｂ，５０Ｃと、一位と十位に分けて設けられたカード識別コード欄５１と５２を設け、このタイムカードＴＣの差込みに従ってセンサーが基準マーク５０Ａを読取った後、マーク５１Ｈから１位の数を読取り、次いで、基準マーク５０Ｂを読取った後、マーク５２Ｈから十位の数を読取って、これを合成したものをカード識別コード（ＩＤコード）として認識して、上記メモリへの出退勤情報の記憶と、タイムカードへの印字出力を行うように構成されている。
【０００３】
【発明が解決しようとする課題】
しかし上記従来のタイムレコーダーシステムは、タイムカードＴＣの差込み方向（長手方向）に沿って、ＩＤ用の各桁コード５１Ｈと５２Ｈがシリーズに付されていて、コードを読取るには、各桁コード５１Ｈ，５２Ｈを順番に読取るために、タイムカードＴＣの全体を長手方向に送らなくてはならないから、判読に時間を要すると共に、タイムカードＴＣを長手方向に送るためにタイムレコーダースペースを多く要することになり、その結果、タイムカードＴＣに対する１回の打刻処理時間が長くなる。タイムレコーダーの全体を縦長に造らなくてはならない。と言った不都合が生じていた。
【０００４】
要するに、上記従来のタイムレコーダーシステムでは、一旦タイムカードＴＣを最下位の奥まで引き込み、そのカード送りの往移動時にＩＤ等の各種コード５１Ｈ，５２Ｈ…を読取り、その後、タイムカードＴＣを最上位の差込口に送り戻す復移動の過程で、所定の印字欄でカード搬送を一旦停止して出退勤情報を印字し、印字終了後に差込口に送り戻すため、上述した１回の打刻処理時間が長くなり、且つ、タイムレコーダーの全体を縦長に造らなくてはならない問題が生じていたのである。
【０００５】
更に上述した従来のタイムレコーダーシステムは、タイムカードＴＣのスペースの関係で、ＩＤコードは精々一位と十位を付することが出来るだけであって、これ等の組合せからは多くのＩＤコードを造ることは不可能であって、最大で９９個のＩＤコードを付するに止まるため、１台のタイムレコーダーの利用可能人数が９９人以内に限定されてしまう問題もあった。
【０００６】
そこで本発明の技術的課題は、タイムカードを引き込む往移動時に、ＩＤの読取りと印字欄への印字を行うように構成することによって、タイムカードの処理速度を速くし、且つ、タイムレコーダー全体の高さを低く造ることを可能にしたタイムレコーダーシステムと、このタイムレコーダーシステムを実現可能にすると共に、多数のＩＤコードを作成可能にしたタイムカードを提供することである。
【０００７】
【課題を解決するための手段】
（１）  上記の技術的課題を解決するために、本発明では前記請求項１に記載の如く、差し込まれたタイムカードに横長のバー状に記録されているＩＤマークを読取ってＩＤを識別し、このＩＤに該当するメモリに対して現在時刻等の出退勤情報を記録すると共に、この出退勤情報を上記タイムカードの印字欄に印字するように構成したタイムレコーダーシステムであって、差し込まれたタイムカードの表面と裏面の各一側縁に、少なくとも二分割して付されている上記のＩＤマークを読み取るための表裏二つの読取り手段と、これ等表裏二つの読取り手段によって読み取られた上記二つに分割されたＩＤマークを組合せて、これを一つのＩＤとして判読するＩＤマーク判読手段とを備えるように構成している。
【０００８】
（２）  また、本発明では前記請求項２に記載のタイムレコーダーシステムは、上記（１）に記載のタイムレコーダーシステムであって、差し込まれたタイムカードの一側面で、且つ、その左右両側縁に、少くとも二分割して並列に付されている上記のＩＤマークを読取るための左右二つの読取り手段と、これ等の読取り手段によって分割された状態で読み取られたＩＤマークを組合せて、これを一つのＩＤとして判読するＩＤマーク判読手段とを備えるように構成している。
【０００９】
（３）  また、本発明では前記請求項３に記載のタイムレコーダーシステムは、前記表裏又は左右の二つの読取り手段のうち、一方の読取り手段によってタイムカードの一側に付されているカード表裏判定マークと、前記分割された一方のＩＤマークと、印字段制御マークの各読取りを行い、他方の読取り手段によってタイムカードの他側に付されている前記分割された他方のＩＤマークの読取りを行うように構成すると共に、これ等各読取り手段によるマークの読取りを同時に行うように構成している。
【００１０】
（４）  また、本発明では前記請求項４に記載のタイムレコーダーシステムは、差し込まれたタイムカードを往移動している行程中に、前記読取り手段による前記表裏又は左右に分割されたＩＤマーク等の読取りと、タイムカードの印字欄に対する出退勤情報の印字を行うように構成している。
【００１１】
（５）  次に、本発明では前記請求項５に記載の如く、カードを識別するＩＤマークと、出退勤情報の印字欄とを備えたタイムカードであって、上記のＩＤマークを少くとも二分割して、これ等分割したＩＤマークをタイムカードの表裏両面の一側縁にそれぞれ付すか又はタイムカードの一側面の左右両側縁に並列に付すと共に、これ等表裏両面の一側縁又は一側面の左右両側縁に分割されて付されるＩＤマークは、数値又は記号の上位桁と下位桁とによって構成されていて、これ等上位桁と下位桁を組合せることによって一連のＩＤとして認識できるように構成している。
【００１２】
（６）  また、本発明では前記請求項６に記載の如く、タイムカードの表裏両面の一側縁又は一側面の左右両側縁に分割されて付される前記ＩＤマークを、二進数によって構成している。
【００１３】
（７）  また、本発明では前記請求項７に記載の如く、タイムカードの下端に近い側縁にカード表裏判定マークを付し、その上側部のカード側縁に前記分割したＩＤマークの一方を二進数で付し、更にその上側部のカード側縁には、社員ナンバー記載欄や印字段の１６段目や１５段目に対応する印字位置確認用の印字段マークを付すように構成している。
【００１４】
（８）  また、本発明では前記請求項８に記載の如く、タイムカードの表裏両面の一側縁又は一側面の左右両側縁に分割して二進数で付される前記ＩＤマークを、夫々の上下間隔を無くした状態で印刷するように構成している。
【００１５】
（９）  更に本発明では、前記請求項９に記載の如く、タイムカードの表裏両面の一側縁又は一側面の左右両側縁に分割して付される前記ＩＤマークを、カードの差込み方向に沿った状態で、カードの側縁に対して横長のバー状に印刷又は記入して構成するようにしている。
【００１６】
上記（１）で述べた手段によれば、一つのＩＤを構成するＩＤマークを複数列に分割して、タイムカードの表裏両面の一側縁に付し、読取り時には夫々を表裏二つの読取り手段が再び一つに組合せて判読することができるから、タイムカード上のＩＤマークを読むために必要なカードの移動量（移動幅）を少くして、短時間の内に読取りを済ませることができると共に、カードの移動量を少くした分、タイムレコーダーの上下の高さを短くして、タイムレコーダーの小型化を図ることを可能にする。
【００１７】
上記（２）で述べた手段によれば、一つのＩＤを構成するＩＤマークを複数列に分割して、タイムカードの一側面の左右両側縁に並列に付し、読取り時には夫々を左右二つの読取り手段が再び一つに組合せて判読することができるから、タイムカード上のＩＤマークを読むために必要なカードの移動量（移動幅）を少くして、短時間の内に読取りを済ませることができると共に、カードの移動量を少くした分、タイムレコーダーの上下の高さを短くして、タイムレコーダーの小型化を図ることを可能にする。
【００１８】
上記（３）で述べた手段によれば、一方の読取り手段が分割された一方のＩＤマークの読取りに加えて、カード表裏判定マークと印字段制御マークを読取るため、タイムカードの表裏判定や送りタイミング、並びに、リードタイミングをこれ等各マークの読取りによって正確に取ることができると共に、一方の読取り手段と他方の読取り手段の各マークの読取りを同時に行うため、分割されたＩＤコードを一つに組合せる判読時間を短縮することを可能にする。
【００１９】
上記（４）で述べた手段によれば、ＩＤマークを分割してこれを短時間の内に読取ることができるため、タイムカードの往移動時にこのＩＤマークの読取りに加えて、この読取ったＩＤマークに従って現在時刻等の出退勤情報をタイムカードの印字欄に印字することができるものであって、従って、タイムカードの往移動時にＩＤマークの読取りを行い、復移動時に印字を行う従前のタイムレコーダーシステムに比較して、１回の打刻処理に必要な時間を大幅に短縮して、処理動作をスピードアップしたタイムレコーダーシステムを提供することを可能にする。
【００２０】
上記（５）で述べた手段によれば、上記（１）〜（４）で述べた構造のタイムレコーダーシステムで使用可能なタイムカード、即ち、一つのＩＤマークを分割してタイムカードの表裏両面の一側縁に夫々付すか又は一側面の左右両側縁に並列に付したタイムカードを提供することができる。
【００２１】
更に、上記（５）で述べた手段によれば、タイムカードの表裏両面の一側縁、又は、一側面の左右両側縁に分割されて付されるＩＤマークは、数値又は記号の上位部分と下位部分に分けて構成されるものであって、例えば、ＩＤコードが「３４１２」であるならば、これを「３４」と「１２」に分けてタイムカードの表裏又は左右に分けて付すことができるため、多数のＩＤを作成して１台のタイムレコーダーを多人数で使用することを可能にする。
【００２２】
上記（６）で述べた手段によれば、タイムカードに分割されて付されるＩＤを二進数によって形成したため、上記（６）に記載の構成と相俟って、更に、その組合せを多数にして、１台のタイムレコーダーを多くの人に使用させることができるタイムカードを提供することを可能にする。
【００２３】
上記（７）で述べた手段によれば、タイムカードの先端側にカード表裏判定マークを付し、それに続いて分割したＩＤマークの一方を付し、その上に例えば社員ナンバー記載欄や印字段の１６段目や１５段目と言った各印字段位置を確認するための複数の印字段マークを付したため、差し込まれたタイムカードに対するカードガイドが充分に機能しないカード印字段位置に於ける印字精度が改善されて、各印字段への印字を正確に行うことができるタイムカードを提供することを可能にする。
【００２４】
上記（８）で述べた手段によれば、タイムカードの表裏両面の一側縁又は一側面の左右両側縁に分割して付されるＩＤ用の二進数マークを、上下に間隔をあけづにくっつけて付した関係上、タイムカードに於けるＩＤマークのエリアを少くし、合せて、読取り手段による各ＩＤマークの読取り時間を可及的に短くすることを可能にする。
【００２５】
上記（９）で述べた手段によれば、タイムカードの表裏両面の一側縁又は一側面の左右両側縁に分割して付されるＩＤマークを、タイムカードの印字欄が印刷されていない側縁部分（サイド部分）に沿わせて印刷又は記入形成できるため、タイムカード上にわざわざＩＤマーク用のスペースを設ける必要がなく、タイムカードのスペースを有効に使用できると共に、二進数で表される各ＩＤマークは横長バーを印刷又は記入することによって形成されるため、タイムカードを往移動しながら行う読取り手段による読取りを適格に行うことを可能にする。
【００２６】
以上述べた如くであるから、上記（１）〜（９）で述べた各手段によって上述した技術的課題を解決することができる。
【００２７】
【発明の実施の形態】
以下に、本発明に係るタイムレコーダーシステム及びタイムカードの実施の形態を図面と共に説明すると、図１は本発明のタイムレコーダーシステムを構成するタイムレコーダーＴＲの一例を示した外観図、図２はその電気的構成を説明したブロック図、図３はタイムレコーダーＴＲの内部構造を説明した構成図であって、図１に於いて、１はタイムレコーダーＴＲの機体、２は図４等に示したタイムカードＴＫの差込口、３はタイムカードＴＫに印字する場合に印字欄（出退欄等）を選択したり、カード登録や社員Ｎｏ．の入力時等に使用する入力装置、４は時刻や登録時のＩＤ、或は、エラー表示等を行う表示器を示す。
【００２８】
更に図３に於いて、５Ｓは左右の軸受６，６の間に回転自在に架設した回転軸、５はこの回転軸５Ｓに取付けたカード送りローラ、５Ａは回転軸５Ｓに取付けたウオームギヤ、７Ｍは駆動回転するウオーム７をウオームギヤ５Ａに噛合して回転軸５Ｓを回転するカード搬送用モータ、９は回転軸５Ｓの先端部５Ｔに取付けたエンコーダ用円板８との間で、カード送りローラ５によるタイムカードＴＫの送り量を検出するエンコーダ用センサ、１１はカード検知センサであって、上記のカード搬送用モータ７Ｍは、前記の差込口２に差込まれたタイムカードＴＫの先端縁を上記のカード検知センサ１１が検知すると、回転してカード搬送を行う仕組に成っている。
【００２９】
また、１０，１０は上記のカード送りローラ５によって搬送されるタイムカードＴＫの両側をガイドする上部のカードガイド、１２はタイムカードＴＫの表面に付されている各マーク（後述する）を読取る表マークセンサ、１３は同じくタイムカードＴＫの裏面に付されている各マーク（後述する）を読取る裏マークセンサで、これ等各センサ１２，１３は差込まれて来るタイムカードＴＫの表裏に付されている各マークを同時に読取ることができるように、同一レベルの位置  （具体的には左右の上部カードガイド１０，１０の上端部位置）に設けられている。
【００３０】
更に図中、１４は図面上横方向に移動しながらタイムカードＴＫの印字欄に現在時刻等の出退勤情報を印字するプリンタ（ドットプリンタ）、１４Ｓはこのプリンタ１４のホームポジションセンサを示し、また、１５，１５は送り込まれて来るタイムカードＴＫの左右両側をガイドする下部のカードガイドを示し、更に、図面上○付き符号Ａ，Ｂ，Ｃ，Ｄ，Ｅ，Ｆで夫々示したのは、後述するタイムカードＴＫの移動状態を示した各図（図７、図８）に於けるカード下端と下部のカードガイド１５，１５との位置関係を示したものであって、本発明では、以下に説明する様にタイムカードＴＫの往移動時に、タイムカードＴＫに付されたＩＤコード等の読取りと、タイムカードＴＫに対するプリンタ１４による印字処理が成される仕組に成っている。
【００３１】
図２は、上記の如く構成したタイムレコーダーＴＲの電気的構成を説明したブロック図で、図中、２０は制御部の中心を成すＣＰＵ、２１は各種のシステムプログラムを格納する一方、従業員各人（社員各人）の就業データを個人別にフアイルすることができるデータフアイルを備えたメモリで、２３はこれ等ＣＰＵ２０とメモリ２１の間にバス２２を介して接続したインターフエイスを示す。
【００３２】
また、上記のインターフエイス２３には、前述した入力装置３と表示器４に加えて、上記図３に示したカード搬送モータ７Ｍと、エンコーダ用センサ９と、カード検知センサ１１と、表と裏の各マークセンサ１２，１３と、プリンタ１４及びプリンタホームポジションセンサ１４Ｓが接続され、更に、タイムレコーダーＴＲの基準時計となる時計回路１６と、操作にエラーが生じた場合に作動するブザー１７が接続されていて、夫々がメモリ２１に格納されたプログラムに従って制御作動される仕組に成っている。
【００３３】
次に、図４は本発明に係るタイムカードＴＫの一例を示した表面図で、図５はその裏面図であって、氏名等の記入欄を備えたタイムカードＴＫの表面Ｔ１には、図４に示すように合計１６段の印字欄Ｒ（最上段は空欄）と、社員Ｎｏ．の記入欄Ｒ１が予め印刷され、更にその一側縁には、下端側から上方に向けて順番にカード表裏判定マーク表示欄Ｗと、ＩＤマーク表示欄Ｖが設けられている。
【００３４】
更に上記ＩＤマーク表示欄Ｖの上側には、カード作成時に社員のナンバー（Ｎｏ．）を、前述した社員Ｎｏ．記入欄Ｒ１に印字する時の基準となる第１印字段位置基準マークＴＡと、就業データを印字欄Ｒに印字する通常印字時に、印字欄Ｒの最下段Ｒ２（１５日）に印字する場合の基準となる第２印字段位置基準マークＴＢと、同じく通常印字時に最下段Ｒ２以外に相当する印字段Ｒ３…に印字する場合の基準となる第３印字段位置基準マークＴＣが順番に設けられているが、これ等各マークＴＡ，ＴＢ，ＴＣと、上記カード表裏判定マーク表示欄Ｗ及びＩＤマーク表示欄Ｖは、いずれもタイムカードＴＫの差込み方向に沿った状態で、且つ、前記表マークセンサ１２によって読取り可能な位置に設けられている。
【００３５】
また、上記タイムカードＴＫの裏面Ｔ２には、同じ氏名等の記入欄と合計１６段の印字欄Ｒに加えて、前記裏マークセンサ１３によって読取り可能なタイムカードＴＫの一側縁に、タイムカードＴＫの差込み方向に沿って下端側から順番に、前記表面Ｔ１側と同様にカード表裏判定マーク表示欄Ｗと、ＩＤマーク表示欄Ｖ′と、第１、第２、第３の各印字段位置基準マークＴＡ，ＴＢ，ＴＣが設けられている。
【００３６】
上述した各カード表裏判定マーク表示欄Ｗは、図５並びに図６に示す様に上下二段のマーク欄ＷＡ，ＷＢを備えていて、これ等上下のマーク欄ＷＡ，ＷＢがいずれも黒色の場合は表面Ｔ１と判定し、一方のマーク欄ＷＡ又はＷＢのいずれかのみが黒色の場合は裏面Ｔ２と判定する仕組に成っているが、この判定方法は実施の一例であることは勿論である。
【００３７】
更に本発明では、タイムカードＴＫの表面Ｔ１に設けられているＩＤマーク表示欄Ｖに、当該社員のＩＤの上位桁（前半）のマークＶＮを付し、裏面Ｔ２のＩＤマーク表示欄Ｖ′に、当該ＩＤの下位桁（後半）のマークＶＮ′を付して、カード挿入時に表裏のマークセンサ１２，１３が同時にこれ等上位桁と下位桁の各ＩＤマークＶＮとＶＮ′を読取ることにより、タイムカードＴＫの表面Ｔ１と裏面Ｔ２に分割して付されていたＩＤを組合せて、これを一つのＩＤとして判読する仕組に成っている。
【００３８】
尚、前記請求項２に記載の如く、タイムカードＴＫの一側面（例えば表面Ｔ１）に分割したＩＤマークＶＮとＶＮ′を付する場合は、図４の（イ）図に示したタイムカードＴＫの左側サイドにＩＤマーク表示欄Ｖ′を設けて、これに（ロ）図に示すように下位桁（後半）のマークＶＮ′を付すと共に、タイムレコーダーＴＲのカード差込み通路の左右両側に、これ等分割された両側のＩＤマークＶＮとＶＮ′を同時に読取るためのマークセンサを設ければ、その目的を達成することができる。
【００３９】
また、上述したＩＤマーク表示欄ＶとＶ′は、図５に示すようにいずれも１１ケの表示欄をそなえているが、最上段の１１番目の表示欄はパリテイ用のマーク欄であるため、実際には表裏合せて２０ケの表示欄を備えていて、例えば「３４１２」のＩＤコードを作成する場合は、前述したように「３４」と「１２」に分割して、カード表面Ｔ１側の１０ケの表示欄Ｖに「３４」の数のマークＶＮを付し、カード裏面Ｔ２側の１０ケの表示欄Ｖ′に「１２」の数のマークＶＮ′を付せば、これ等を組合せて「３４１２」のＩＤコードを作成できるが、例えば、図１０に示すように表面Ｔ１側の表示欄Ｖを１〜１０の数字のマーク欄とし、裏面Ｔ２側の表示欄Ｖ′を文字や記号等のマーク欄とすることによって、更に異なる構成のＩＤコードを合成することも可能である。
【００４０】
上述した各ＩＤマーク表示欄ＶとＶ′へのマークＶＮ，ＶＮ′の表示は、図示したようにいずれも二進数によって付され、而かも、各マークＶＮ，ＶＮ′ともに夫々の上下間隔を無くした状態で印刷されると共に、これ等マークＶＮ，ＶＮ′と、前記カード表裏判定用のマーク（黒色）、及び、第１、第２、第３の各印字段位置基準マークＴＡ，ＴＢ，ＴＣは、いずれも図示した如く横長のバー状に印刷又は記入されていて、各マークセンサー１２，１３による読取りを短時間で正確に行えるように工夫している。
【００４１】
図７の（イ）図、（ロ）図、（ハ）図、及び、図８の（イ）図、（ロ）図、（ハ）図は、本発明に係るタイムカードＴＫをタイムレコーダーＴＲのカード差込口２に差込んでから、プリンタ１４がタイムカードＴＫの印字欄Ｒに出退勤情報を印字する迄の処理手順を順番に説明したものであって、図７の（イ）図は、タイムカードＴＫが図３の符号Ａで示した位置まで差し込まれた結果、カード検知センサ１１がＯＮして、カード搬送モータ７Ｍによるカード送りローラ５の回転によってカード搬送が開始されるカード差込時の状態を示し、また、（ロ）図は、カード搬送が進んでタイムカードＴＫが図３の符号Ｂの位置まで搬送されて、表マークセンサ１２によるカード表裏判定マークＷＡ，ＷＢの読取りが開始されるカード表裏判定マーク読取り開始時の状態を示し、更に、（ハ）図は同じくカード搬送が進んでタイムカードＴＫが図３の符号Ｃの位置まで搬送されて、表マークセンサ１２によるＩＤマークの読取りが開始される時の状況を説明したものである。
【００４２】
更に図８の（イ）図は、タイムカードＴＫが図３のＤの位置まで送り込まれて、表マークセンサ１２が第１印字段位置基準マークＴＡを読んだ時の、タイムカードＴＫに対するプリンタ１４と左右の下部カードガイド１５，１５との位置関係を示したもので、カード作成時には、表マークセンサ１２がこの様に第１印字段位置基準マークＴＡを読取ると、プリンタ１４が所定ステップ進んで斜線を付したタイムカードＴＫの社員Ｎｏ．記入欄Ｒ１に社員Ｎｏ．を印字する仕組に成っている。
【００４３】
また、図８の（ロ）図は、同じくタイムカードＴＫが図３のＥの位置まで送り込まれて、表マークセンサ１２が第２印字段位置基準マークＴＢを読んだ時の、タイムカードＴＫとプリンタ１４及びカードガイド１５，１５との位置関係を説明したものであって、印字欄Ｒの最下段Ｒ２（斜線を付した１６段目）にプリンタ１４が印字を行う場合は、上記第２印字段位置基準マークＴＢが読み取られると、プリンタ１４が所定ステップ進んで最下段Ｒ２への印字を開始する仕組に成っている。
【００４４】
更に、図８の（ハ）図の如く、タイムカードＴＫが図３のＦの位置まで送り込まれて、表マークセンサ１２が第３印字段位置基準マークＴＣを読んだ時は、タイムカードＴＫの下端部が左右のカードガイド１５，１５の間に挿入されて安定すると共に、カード送りローラ５がエンコーダ用センサ９より発せられるパルス信号に従ってタイムカードＴＫを所定の位置に段送りして、印字欄Ｒの斜線を付したいずれかの印字段Ｒ３（１段〜１５段）に、プリンタ１４が出退勤情報の印字を開始する。
【００４５】
次に、図９はカード送りステップ数とマークの有無時のマーク位置の対応を説明したマーク判定基準を表にした図で、マークの有無の確認は、例えば、７ステップ進んでその有無を確認し、次に２１ステップ進んで確認するように構成されていて、これを図面に記載の全てのステップで行って、マークの有無を確認する仕組に成っている。
【００４６】
尚、前記図７と図８では、表マークセンサ１２とタイムカードＴＫの表面Ｔ１側との関係についてのみ説明したが、裏マークセンサ１３とタイムカードＴＫの裏面Ｔ２側との間でも、図７と図８に示したものと同様の処理がなされることは勿論である。但し、タイムカードＴＫの裏面Ｔ２には表面Ｔ１の社員Ｎｏ．記入欄Ｒ１に相当するものが無いため、図８の（イ）図で示した処理は省かれる。
【００４７】
次に、本発明に係るタイムレコーダーシステムによるカード登録と通常印字の処理手順を図１１乃至図１５に示したフローチヤートに従って説明すると、図１１及び図１２は、新たに社員用のタイムカードを作成（新規登録）する場合に行うカード登録の処理手順を説明したものであって、カード登録を行うには、先ずステップＳ１でカード登録用の設定カード（図示せず）をタイムレコーダーＴＲに挿入してこれを読取ることによって、タイムレコーダーＴＲのモードをカード登録操作へ切換えた後、次のステップＳ２でカード登録する個人の社員Ｎｏ．を入力装置３を用いて入力し、且つ、ステップＳ３で登録する未使用のタイムカードＴＫをタイムレコーダーＴＲに挿入して行う。
【００４８】
次いで、ステップＳ４からステップＳ１３の各処理が行われて、タイムカードＴＫの表裏Ｔ１，Ｔ２から読取ったＩＤマークＶＮとＶＮ′から、カードＮｏ．（ＩＤコード）を合成し、更に、ステップＳ１７でタイムカードＴＫの社員Ｎｏ．記入欄Ｒ１に入力された社員Ｎｏ．を印字すると共に、ステップＳ１８でこの社員Ｎｏ．と前記合成したカードＮｏ．とを関連付けてメモリ２１に記録し、その後、ステップＳ１９とＳ２０の各処理を行ってカード登録を終了する。
【００４９】
また、図１３と図１４と図１５は、上記の手順で作成したタイムカードＴＫを用いて、現在時刻等の出退勤情報をタイムカードＴＫの印字欄Ｒに打刻印字し、且つ、メモリ２１に記録する通常印字の処理手順を説明したフローチヤートであって、ステップＳ２１からステップＳ４９まで行われる処理手順のうち、本発明に於いて特徴とする点は、図１３に示したステップＳ２９とＳ３０に於いて、表マークセンサ１２と裏マークセンサ１３が、タイムカードＴＫの表裏Ｔ１，Ｔ２に分割した状態で付されているカードＮｏ．（ＩＤマークＶＮとＶＮ′）を各々同時に読取り、次いで、図１４に示したステップＳ３４でこれ等読取った表裏のＩＤマークＶＮとＶＮ′からカードＮｏ．（ＩＤコード）を合成する点である。
【００５０】
その結果、図１５に示したステップＳ４３に於いて合成されたカードＮｏ．からカード使用者の社員Ｎｏ．を呼び出し、次いで、ステップＳ４４で呼び出した社員Ｎｏ．と出退区分、現在日時をメモリ２１に格納し、更に、ステップＳ４８でメモリ２１に格納した日時をタイムカードＴＫの所定の印字欄に印字出力すること、即ち、タイムカードＴＫに出退勤情報を印字することを可能にしている。
【００５１】
【発明の効果】
以上述べた次第で、本発明に係るタイムレコーダーシステム及びタイムカードによれば、タイムカードのナンバー（Ｎｏ．）、即ち、ＩＤをタイムカードの表裏両面の一側縁又は一側面の左右両側縁に分割して付し、タイムカードの挿入時に表裏又は左右に設けた二つのマークセンサがこれ等分割されＩＤマークを同時に読取ってＩＤを合成するように構成したため、ＩＤの読取りを極めて短時間で済ませることを可能と成し、その結果、差込まれたタイムカードの往移動時にＩＤの読取りと、この読取ったＩＤに基づく出退勤情報の記憶とタイムカードへの印字出力を行うことを可能にするものであって、タイムカードを最下位の奥まで引き込む往移動の最中にＩＤを読取り、その後、タイムカードを最上位の差込口に送り戻す復移動の工程中に出退勤情報を印字する従来のタイムレコーダーシステムに比較して、１回の印字処理に要する時間を大幅に短縮でき、合せて、タイムレコーダー全体の高さを低くして小型化を図ることができる。
【００５２】
更に本発明では、１つのＩＤを分割してタイムカードの表裏両面の一側縁、又は、一側面の左右両側縁に付す構成にしたため、これ等表裏又は両側のＩＤマークの合成によって多数のＩＤを作成可能にして、１台のタイムレコーダーに対する使用可能人数を大幅に増員することができる利点も発揮できるものである。
【図面の簡単な説明】
【図１】  本発明に係るタイムレコーダーシステムで使用するタイムレコーダーの一例を示した外観図である。
【図２】  図１に示したタイムレコーダーの電気的構成を説明したブロック図である。
【図３】  図１に示したタイムレコーダーの内部構造を説明した構成図である。
【図４】  （イ）図は本発明に係るタイムカードの一例を示したカード表面図で、（ロ）図はそのカード裏面図である。
【図５】  図４で示したタイムカードの構成図である。
【図６】  図５で矢印Ｗで示したカード表裏判定マーク欄を拡大して示した説明図である。
【図７】  差し込まれたタイムカードが引き込まれて往移動する時の状況を順番に説明したものであって、（イ）図はカード差込時、（ロ）図はマーク読取り開始時、  （ハ）図はＩＤマーク読取り時を夫々示したものである。
【図８】  図７に引続いてタイムカードの往移動時の状況を説明したものであって、（イ）図は第１印字段位置基準マーク読取り時、（ロ）図は第２印字段位置基準マーク読取り時、（ハ）図は第３印字段位置基準マーク読取り時を夫々示したものである。
【図９】  カード送りステップ数とマーク有無時のマーク位置の対応に付いて説明したマーク判定基準の説明図である。
【図１０】  タイムカードの表面と裏面に分割して付したＩＤマークの合成に付いて説明した説明図である。
【図１１】  新規にタイムカードを作成する場合のカード登録の処理手順を説明したフローチヤートである。
【図１２】  図１１に示したフローチヤートの続きを記載したフローチヤートである。
【図１３】  本発明に係るタイムレコーダーシステムとタイムカードを用いて出退勤情報をタイムカードに打刻する通常印字の処理手順を説明したフローチヤートである。
【図１４】  図１３に示したフローチヤートの続きを記載したフローチヤートである。
【図１５】  図１４に示したフローチヤートの続きを記載したフローチヤートである。
【図１６】  図１５に示したフローチャートの続きを記載したフローチャートである。
【図１７】  従来のタイムレコーダーシステムで使用しているタイムカードの構成図である。
【符号の説明】
ＴＲ            タイムレコーダー
１２            表マークセンサ
１３            裏マークセンサ
１４            プリンタ
２１            メモリ
ＴＫ            タイムカード
Ｔ１            表面
Ｔ２            裏面
Ｒ１            社員Ｎｏ．記入欄
Ｒ              印字欄
Ｗ              カード表裏判定マーク欄
ＷＡ，ＷＢ      表裏判定マーク
Ｖ，Ｖ′        表裏のＩＤマーク表示欄
ＶＮ，ＶＮ′    分割された表裏のＩＤマーク
ＴＡ，ＴＢ，ＴＣ          印字段位置基準マーク
【図１】
0003953272.tif 000002
【図２】
0003953272.tif 000003
【図３】
0003953272.tif 000004
【図４】
0003953272.tif 000005
【図５】
0003953272.tif 000006
【図６】
0003953272.tif 000007
【図７】
0003953272.tif 000008
【図８】
0003953272.tif 000009
【図９】
0003953272.tif 000010
【図１０】
0003953272.tif 000011
【図１１】
0003953272.tif 000012
【図１２】
0003953272.tif 000013
【図１３】
0003953272.tif 000014
【図１４】
0003953272.tif 000015
【図１５】
0003953272.tif 000016
【図１６】
0003953272.tif 000017
【図１７】
0003953272.tif 000018